(57)【要約】【課題】上枠の屋内側の見付け面を張り出させて障子の框体の屋内側からの見えを小さくしても、容易に障子の内外しができる。【解決手段】引き違い窓１は、枠体５内に内障子７と外障子８を納めている。上枠２は金属上枠１５の屋内側に上部樹脂アングル１６を取り付けた。内障子７の上框１０の少なくとも一部が上枠２の屋内側垂下片部１５ｄに重なるように配置した。上枠２の金属上枠１５の屋内側に屋内側垂下片部１５ｄを垂下させ、屋内側垂下片部１５ｄの屋内側の面及び先端を囲うように上部樹脂アングル１６を係合させた。上部樹脂アングル１６の樹脂製の先端片と段付き部と軟質樹脂のヒレ部４０とで断面略コの字状の断熱層４２を形成した。ヒレ部４０は屋内側に向けて突出し、先端片と段付き部は階段状に上框１０から離間するように形成した。【選択図】図４
2020073786.tif 000002
【特許請求の範囲】
【請求項１】
枠体内に障子を納めていて、前記障子の上框の少なくとも一部が上枠に重なるように配置した建具であって、
前記上枠の金属上枠の屋内側に形成した垂下片部と、
前記垂下片部の下端部から下方に向けて屋内側に後退するように形成された逃げ部材とを備えたことを特徴とする建具。
【請求項２】
前記逃げ部材は、前記垂下片部の下端部を囲う先端片に略対向する位置に軟質樹脂の樹脂片部を設け、該樹脂片部を上框の方向に突出させている請求項１に記載された建具。
【請求項３】
前記障子を前記上枠の方向に持ち上げた際に、前記逃げ部材の屋内側に後退する部分に対向する前記上框の部分を前記逃げ部材に対して逃げるように下方に向けて変位させて形成した請求項１または２に記載された建具。
【発明の詳細な説明】
【技術分野】
【０００１】
本発明は、枠体内に障子を納めた引き違い障子や片引き障子等において内障子や外障子等の障子を枠体から取り外すことができる建具に関する。
【背景技術】
【０００２】
従来、枠体内に外障子と内障子を納めた引き違い窓等の建具では、上枠の屋内側の見付け面を大きく上下方向に張り出させ、障子の上框の見え掛り面を小さくして意匠性と断熱性を向上させた隠し框構造のものが一般的に採用されている。また外障子と内障子の框体の見付け面（幅）を小さくすることで採光性を良好にすることができる。
【０００３】
例えば特許文献１に記載された引き違い窓は、枠体の室内側の上下方向と左右方向に延びる見付け面を見付け方向内側に張り出すことで、屋内側から見た際に枠体の見付け面によって障子の框体が隠れるようになっている。
【先行技術文献】
【特許文献】
【０００４】
【特許文献１】特許第５６２１１２２号公報
【発明の概要】
【発明が解決しようとする課題】
【０００５】
しかしながら、上述した特許文献１に記載された引き違い窓では、内障子を屋内側から外そう（いわゆる内外し）とすると、内障子を上枠内に持ち上げて下框側を屋内側に回動させて下枠から外す際に、内障子の上框が上枠の見付け面に干渉するという不具合があった。
【０００６】
本発明は、このような課題に鑑みてなされたものであって、上枠の屋内側の見付け面を張り出させて障子の框体の屋内側からの見えを小さくしても、容易に障子の内外しができるようにした建具を提供することを目的とする。
【課題を解決するための手段】
【０００７】
本発明による建具は、枠体内に障子を納めていて、障子の上框の少なくとも一部が上枠に重なるように配置した建具であって、上枠の金属上枠の屋内側に形成した垂下片部と、垂下片部の下端部から下方に向けて屋内側に後退するように形成された逃げ部材とを備えたことを特徴とする。
本発明によれば、障子の上框の少なくとも一部が水平方向において上枠に重なるように配置し、上枠の見付け面を大きくして障子の上框の屋内側からの見えを小さくした場合でも、障子を屋内側から外そうとすると障子の上框に対向する上枠の垂下片部に取り付けた逃げ部材はその先端部が下方に向けて屋内側に後退して上枠から離間するように形成されたため、金属下枠の垂下片部の先端を逃げ部材で囲っていても障子の回動軌跡に逃げ部材が干渉しない。そのため、障子の内外しをスムーズに行うことができる。
しかも、屋内側から見て障子の上框が少なくとも一部上枠に重なっていて上枠の見付け面を大きくし障子の上框の屋内側からの見えを小さくしたので、断熱性が高く意匠性と採光性が良好である。
【０００８】
また、逃げ部材は、垂下片部の下端部を囲う先端片に略対向する位置に軟質樹脂の樹脂片部を設け、該樹脂片部を上框の方向に突出させていることが好ましい。
上枠の垂下片部に取り付けた逃げ部材の先端部に設けた先端片から離間した位置に軟質樹脂の樹脂片部を対向させて設けて先端片と樹脂片部とで断熱層を形成することができて、屋外側から屋内側への熱伝導を一層抑制できる上に上枠方向に持ち上げた障子を屋内側に回動させる際に断熱層の樹脂片部に当接したとしても樹脂片部が弾性変形して逃げるため障子を容易に取り外しできると共に、変形した樹脂片部が緩衝材となるため障子と樹脂片部が接触したとしても損傷を防ぐことができる。
【０００９】
また、障子を上枠の方向に持ち上げた際に、逃げ部材の屋内側に後退する部分に対向する上框の部分を前記逃げ部材に対して逃げるように下方に向けて変位させて形成してもよい。
障子を持ち上げた際に、逃げ部材の屋内側に後退する部分に対向する上框の部分を屋内側に変位するように形成したため、樹脂部材との干渉を一層防いで取り外しが行える。しかも、上框の変位する部分を軟質の樹脂部材で形成すれば、接触しても上框と上枠の損傷を一層防止できる。
【発明の効果】
【００１０】
本発明による建具では、障子の上框の少なくとも一部が上枠に重なるように配置されているため断熱性と意匠性が良好である。しかも、上枠に取り付けた逃げ部材の先端部は下方に向けて屋内側に後退するように形成されているため、障子を屋内側に取り外す際に逃げ部材の屋内側に後退する部分に沿って回動することで上枠と干渉することなくスムーズに取り外すことができる。
【図面の簡単な説明】
【００１１】
【図１】本発明の第一実施形態による引き違い窓の要部縦断面図である。
【図２】図１に示す引き違い窓の要部水平断面図である。
【図３】図１に示す枠体の上枠と内外障子の上框との配置構成を示す要部拡大断面図である。
【図４】図１に示す引き違い障子において内障子を内外しする状態を示す要部縦断面図である。
【図５】図４の上枠部分と上框部分の拡大断面図である。
【図６】第一実施形態において外障子を外外しする状態を示す要部拡大縦断面図である。
【図７】第二実施形態による引き違い窓において内障子を内外しする状態を示す上枠と上框の要部拡大断面図である。
【発明を実施するための形態】
【００１２】
以下、本発明の実施形態による建具の一例としての引き違い窓について添付図面により説明する。
本発明の第一実施形態による引き違い窓１を図１から図６に基づいて説明する。
図１及び図２に示す実施形態による引き違い窓１は、上枠２と下枠３と左右の縦枠４とで四角形枠状に形成された枠体５内に内障子７と外障子８が見込み方向に納められている。内障子７と外障子８はそれぞれ上框１０と下框１１と左右の縦框１２、１３とで四角形枠状に形成され、その内部に例えばペアガラス等の複層ガラス９が納められている。
【００１３】
図１及び図３において、枠体５の上枠２は主として金属上枠１５で形成され、その屋内側の面に樹脂製の上部樹脂アングル１６が連結されている。金属上枠１５はその上面部をなす基部１５ａの見込み方向にみて屋外側端部から垂下する屋外側垂下片部１５ｂと中間部から垂下する中間レール部１５ｃと屋内側端部から垂下する屋内側垂下片部１５ｄとを有している。
【００１４】
中間レール部１５ｃにはその屋内側に断面略櫛形をなす中間樹脂枠１７が連結され、屋内側垂下片部１５ｄにはその屋外側の面に略板状の内側樹脂枠１８が当接されている。しかも中間樹脂枠１７と内側樹脂枠１８は樹脂製の連結板１４によって接続されてその係止部１４ａが基部１５ａの受け部１５ａａに係合されている。金属製の屋内側垂下片部１５ｄは内側樹脂枠１８と上部樹脂アングル１６によって屋内外の面ａ１，ａ２が囲われている。
そして、屋外側垂下片部１５ｂと中間レール部１５ｃとの間に外障子８が走行可能に保持されている。中間レール部１５ｃと屋内側垂下片部１５ｄとの間にも内障子７が走行可能に保持されている。
【００１５】
また、図1に示す下枠３は主として金属下枠１９で形成されており、金属下枠１９の見込み方向に見て屋外側領域に外側レール２０が形成され、屋内側領域には内側レール２１が形成されている。外側レール２０には外障子８の図示しない戸車が走行可能に載置され、内側レール２１には内障子７の戸車が走行可能に載置され、それぞれ外障子８と内障子7の荷重を受けている。金属下枠１９の屋内側端部には図４に示す木製の額縁２２との間に樹脂製の下部樹脂アングル２４が取り外し可能に設置されている。
【００１６】
また、図２において、左右の縦枠４は主として金属縦枠２５で形成され、左側の金属縦枠２５の屋内側に複数のホロー部を形成した樹脂縦枠２６が連結され、右側の金属縦枠２５の屋内側には上部樹脂アングル１６と同様な構成を備えた側部樹脂アングル２７が連結されている。
また、外障子８と内障子７は、複層ガラス９の四辺の框部が上框１０、下框１１、左右の縦框１２，１３で構成されている。複層ガラス９はグレージングチャンネルを介して金属上框１０ａ、金属下框１１ａ、左右の金属縦框１２ａ、１３ａにそれぞれ設けたガラス受け部３４で四辺の側縁部を支持されている。これら金属框の屋内側を樹脂上框１０ｂ、樹脂下框１１ｂ、左右の樹脂縦框１２ｂ、１３ｂでそれぞれ覆っている。
なお、金属上枠１５、金属下枠１９、左右の金属縦枠２５、金属上框１０ａ、金属下框１１ａ、左右の金属縦框１２ａ、１３ａは例えばアルミ合金製である。
【００１７】
次に図３により上枠２の金属上枠１５と内障子７の上框１０との間の気密構造と断熱構造について説明する。金属上枠１５の屋内側端部に形成した金属製の屋内側垂下片部１５ｄは上端側の基部１５ａから垂下されており、その下端部の屋外側の面ａ２には受け部３５が形成されている。この受け部３５には気密材として例えば弾性を有するアルミ合金製のシール部材３６が嵌合しており、その先端は内障子７の金属上框１０ａの面部１０ａａに当接して気密にシールしている。
なお、気密材としてアルミ合金等の金属に代えてゴム等の弾性部材を用いてもよい。屋内側垂下片部１５ｄの屋内側の面ａ１には係合受け部３７が形成されている。
【００１８】
また、金属上枠１５の屋内側垂下片部１５ｄに係合された樹脂製の上部樹脂アングル１６は、段付き部１６ａを備えた本体部１６ｂを有し、その先端片１６ｃが金属製の屋内側垂下片部１５ｄの下端に当接して覆っている。先端片１６ｃと段付き部１６ａは下方に向かって内障子７の上框１０から次第に離間する方向に階段形状を有している。
更に、上部樹脂アングル１６は、段付き部１６ａの近傍先端側には基部が屋内側垂下片部１５ｄに当接すると共に先端側が屋内側に屈曲して係合受け部３７に係合可能な係止片３８を有する。上部樹脂アングル１６は、本体部１６ｂから上方に延びていて先端側で屈曲または湾曲して屋内側垂下片部１５ｄに当接する当接片３９を形成している。
また、段付き部１６ａには屋外側即ち内障子７の上框１０に向かって延びる軟質樹脂からなるヒレ部４０が連結または一体形成されている。ヒレ部４０の軟質樹脂は他の樹脂よりも軟質で弾性変形可能に形成されており、内障子７の上框１０に当接している。内障子７を走行させるとヒレ部４０が当接した状態で変位し、気密状態を維持する。
なお、ヒレ部４０は他の樹脂と同様に比較的硬質の樹脂で形成してもよく、この場合には内障子７の上框１０と非接触で近接することが気密を保持するために好ましい。
【００１９】
一方、内障子７の上框１０には、金属上框１０ａの屋内側端部は例えば鉛直に延びる面部１０ａａが、上部樹脂アングル１６のシール部材３６に当接して気密にシールしている。シール部材３６と面部１０ａａとで外気の屋内への通気を阻止する気密ラインを構成する。
また、金属上框１０ａに屋内側で連結された樹脂上框１０ｂは、ヒレ部４０が当接する部分が例えば平面状をなす屋内側鉛直部１０ｂａを形成している。更に、その下方部分は屋内側に向かって拡幅するように傾斜するテーパ部１０ｂｂを形成し、更にその下方側には先端に突起部を有する凹部１０ｂｃを形成している。
なお、樹脂上框１０ｂは内障子７を枠体５から屋内側に外す際に上枠２に当接して損傷しないように軟質樹脂で形成してもよい。
【００２０】
そのため、上部樹脂アングル１６の段付き部１６ａと先端片１６ｃとヒレ部４０とで、屋内側垂下片部１５ｄに沿って屋外側から伝達される冷気の低温を断熱する断面略コの字状の断熱層４２を構成し、断熱ラインを構成する。また、屋内側垂下片部１５ｄの面ａ１，ａ２に付着した結露がその面ａ１，ａ２に沿って降下した場合でも断熱層４２によって保持することができる。更にこの断熱層４２に貯留された結露水がヒレ部４０を経由して樹脂上框１０ｂに流れ落ちても凹部１０ｂｃで貯留することができる。断熱層４２において、先端片１６ｃは上框１０に非接触でヒレ部４０は接触しているが、ヒレ部４０も非接触でもよく上框１０に近接する位置に延びていればよい。
そして、樹脂上框１０ｂは凹部１０ｂｃから垂直面またはわずかに傾斜して降下する面と複層ガラス９側に傾斜する逆テーパ面１０ｂｄとを有している。これによって凹部１０ｂｃをあふれ出た結露水は樹脂上框１０ｂに沿って流れて逆テーパ面１０ｂｄから複層ガラス９上に流れ落ちるため、室内に落下しない。
【００２１】
なお、図１及び図３において上枠２の金属上枠１５における中間レール部１５ｃの屋外側にも外障子８の上框１０に当接する気密材としてシール部材３６Ａが設置されており、気密ラインを構成している。
また、中間レール部１５ｃの屋内側に連結した中間樹脂枠１７は、上述した屋内側垂下片部１５ｄに取り付けた上部樹脂アングル１６と同様な構成を有している。即ち、中間レール部１５ｃの屋内側に連結した中間樹脂枠１７も先端片１７ａが中間レール部１５ｃの下端部に当接することで屋内側と先端を囲っている。
【００２２】
中間樹脂枠１７の先端片１７ａと屋内側に傾斜するテーパ部１７ｂと軟質樹脂製のヒレ部４０Ａとによって断面略コの字状の断熱層４２Ａを形成し、断熱層４２Ａによって断熱ラインを構成している。先端片１７ａとテーパ部１７ｂとで下方に向かって外障子８の上框１０から次第に離間するテーパ形状を形成している。
また、外障子８の金属上框１０ａに取り付けた樹脂上框１０ｂにおいて、内障子７に設けた樹脂上框１０ｂと同様に、ヒレ部４０Ａが当接する屋内側鉛直部１０ｂａ、テーパ部１０ｂｂ、凹部１０ｂｃ、凹部１０ｂｃから垂直またはわずかに傾斜して降下する面と逆テーパ面１０ｂｄとを有している。
なお、上部樹脂アングル１６を屋内側垂下片部１５ｄに係止させ、中間樹脂枠１７を中間レール部１５ｃに係止させることで、熱によって上部樹脂アングル１６や中間樹脂枠１７が伸縮することを抑制できる。
【００２３】
次に下枠３の金属下枠１９と額縁２２との間に設けた下部樹脂アングル２４について図１により説明する。
下部樹脂アングル２４は上述した上部樹脂アングル１６と略同一の構成を有している。内障子７の金属下框１１ａは屋内側端部で樹脂下框１１ｂとの係合部の更に下側に延びていて略Ｌ字状に屈曲している。金属下枠１９の屋内側端部に設けた屋内側壁面１９ａは上下方向に延びており、上端部で金属下枠１９と水平方向に重なっていて、その屋外側に受け部１９ｂが形成されている。屋内側壁面１９ａの屋内側には係合受け部１９ｃが形成されている。受け部１９ｂに嵌合するアルミ合金製またはゴム製等の弾性部材からなるシール部材４４が金属下枠１９に当接して、冷気の屋内側への通気を阻止する気密材を構成する。
【００２４】
また、金属下枠１９の屋内側壁面１９ａと額縁２２との間には小さな間隙が形成され、その上部に下部樹脂アングル２４が設置されている。下部樹脂アングル２４はその基部が固定ボルトによって額縁２２の段部に固定され、先端は屋内側壁面１９ａの上端に載置されて先端に形成した弾性を有する軟質樹脂製のヒレ部４６が金属下框１１ａに当接している。
下部樹脂アングル２４には、ヒレ部４６の近傍で間隙内の下方に向けて係合受け部１９ｃに係合可能な係止片４８が形成され、更にその額縁２２側には間隙内の下方に延びていて先端側で屈曲または湾曲して金属下枠１９の屋内側壁面１９ａに向けて延びる当接片４９を形成している。
そのため、下部樹脂アングル２４は固定ボルトと係止片４８によって額縁２２と金属下枠１９の係合受け部１９ｃに係止されている。係止片４８は屋内側壁面１９ａの屋内側に設けられているため、固定ボルトを外して下部樹脂アングル２４のヒレ部４６側の先端を引き上げると、当接片４９が弾性変形することで係止片４８が係合受け部１９ｃから外れて取り外すことができる。そのため、下部樹脂アングル２４も着脱交換可能である。
【００２５】
本第一実施形態による引き違い窓１は上述した構成を備えており、次に内障子７と外障子８の取り外し方法を説明する。
まず本第一実施形態による引き違い窓１の断熱性能と防露性能について説明する。図１及び図２に示す引き違い窓１は例えば中層階や高層階等のビルディングに設置されているものとする。引き違い窓１の外障子８と内障子７の閉鎖状態において、内障子７側では、低温の外気が、上枠２の中間レール部１５ｃ及び中間樹脂枠１７と内障子７の上框１０との間の空間を流れて屋内側垂下片部１５ｄ側に流れる。そして、屋内側垂下片部１５ｄに設けたシール部材３６が内障子７の金属上框１０ａに当接することで気密シールできる。この気密ラインによって外気がシール部材３６を超えて屋内側に流れることを阻止する。
また、屋内側垂下片部１５ｄと内障子7の上框１０との間に流入する冷気の一部が屋内側垂下片部１５ｄを冷却して下方に向けて冷気の低温を伝達する。この場合でも、上部樹脂アングル１６の先端には断熱層４２が形成されているために、上部樹脂アングル１６を通して低温の伝達や屋内側への冷気の流入が阻止され、或いは低減できる。
【００２６】
また、屋内側垂下片部１５ｄは屋外側の内側樹脂枠１８と屋内側の上部樹脂アングル１６によって先端と両面ａ１，ａ２を囲われているため、表面温度が高く結露を抑制できる。特に、屋内側垂下片部１５ｄの先端と屋内側の面ａ１は、上部樹脂アングル１６の断熱層４２と当接片３９に囲まれているために断熱効果を発揮して、屋内への低温の伝達を抑制すると共に屋内側垂下片部１５ｄの屋内側の面ａ１に結露が生じることを低減できる。
しかし、一部の冷気は内側樹脂枠１８を乗り越えて屋内側垂下片部１５ｄに接触することで、屋内側垂下片部１５ｄの内外の面ａ１，ａ２に結露が生じることがある。この場合でも、屋内側垂下片部１５ｄは上部樹脂アングル１６の当接片３９で覆われており、屋内側に露出しないので屋内の人が結露を目視できない。
【００２７】
低温によって屋内側垂下片部１５ｄの面ａ１，ａ２で結露して一部の結露水が下方に流れたとしても、断熱層４２のヒレ部４０で結露水を受け止めて保水することができる。断熱層４２に保水された結露水が軟質樹脂のヒレ部４０を経由して下方に流れる場合には、樹脂上框１０ｂからテーパ部１０ｂｂを流れて凹部１０ｂｃに貯留される。これによっても結露水が屋内側を落下することを防止できる。
更に凹部１０ｂｃを結露水が溢れたとしても、この結露水は落下することなく、樹脂上框１０ｂの垂直面またはわずかに傾斜して降下する面から逆テーパ面１０ｂｄを経由して複層ガラス９の表面に流れ落ちる。そのため、結露水の一部が内障子７の屋内側で樹脂上框１０ｂから複層ガラス９を通って下方に流れたとしても目立たない。
また、金属上枠１５の屋外側垂下片部１５ｂと外障子８の上框１０との間に低温の外気が進入した場合でも、内障子７の場合と同様に断熱できる。
【００２８】
次に内障子７の内外し方法について説明する。交換や掃除等のために内障子７を枠体５から屋内側に取り外す場合、本実施形態の引き違い窓１では、屋内側垂下片部１５ｄの先端に上部樹脂アングル１６の断熱層４２を設けたため内障子７が干渉し易い。
図１に示す状態から内障子７を上枠２方向に持ち上げると、内障子７の樹脂上框１０ｂのテーパ部１０ｂｂが上部樹脂アングル１６の断熱層４２の軟質樹脂製のヒレ部４０近傍に移動する。この状態で図４に示すように、内障子７の下框１１が下枠３の内側レール２１と屋内側壁面１９ａより高い位置に至るので、内障子７を上框１０を中心に上側に回動させる。
このとき、図４及び図５において、上框１０における樹脂上框１０ｂのテーパ部１０ｂｂがヒレ部４０に当接するが、ヒレ部４０は軟質樹脂であるためテーパ部１０ｂｂに押されて弾性変形して逃げる。また、上部樹脂アングル１６は上框１０側の先端片１６ｃと段付き部１６ａは階段状に上框１０から離間する形状であるため、回動する内障子７の樹脂上框１０ｂが接触することを防止できる。そして、下框１１が下部樹脂アングル２４の屋内側に回動した内障子７を斜め方向に傾斜した状態で下方に引くことで取り外すことができる。
【００２９】
また、外障子８も同様に、上枠２方向に持ち上げて外障子８の樹脂上框１０ｂのテーパ部１０ｂｂや凹部１０ｂｃを有する突起部がヒレ部４０Ａを押圧して弾性変形させた状態で（図６参照）、外障子８の上框１０を中心に下框１１を屋内側に回動させる。そして、外障子８の下框１１の最下部の屋外側壁面１１ｃが外側レール２０、内側レール２１、シール部材４４Ａ等を乗り越えて外障子８の上框１０を下方に回動させることで、外障子８を枠体５から取り外すことができる。
【００３０】
また、引き違い窓１が１階やベランダを有する階に設置された場合には、外障子８（と内障子７）を屋外側に取り外しことができる。この場合、図６において、上述したように外障子８を上枠２方向に持ち上げてヒレ部４０Ａを樹脂上框１０ｂのテーパ部１０ｂｂや凹部１０ｂｃを有する突起部で押圧した後に回動することで、下框１１を外側に回動して屋外側に取り外すことができる。なお、内障子７も同様に上方に持ち上げて屋外側に回動させて取り外すことができる。
或いは、この場合でも内障子７は内外しにしてもよい。
【００３１】
上述のように本実施形態による引き違い窓１によれば、内障子７の上框１０が部分的に上枠２に重なるように配置されているため断熱性と意匠性が良好である。また、上部樹脂アングル１６と中間樹脂枠１７の先端部にそれぞれ断熱層４２、４２Ａを設けて断熱性を確保しながら内障子７、外障子８の内外しと外外しを容易に行える。
しかも、内障子７の内外しに際し、上枠２に取り付けた上部樹脂アングル１６の先端部は階段状に形成され且つヒレ部４０と共に断面コの字状の断熱層４２を形成しているが、内障子７を上枠２内に持ち上げて屋内側に回動することでヒレ部４０を弾性変形させて上部樹脂アングル１６と干渉することなくスムーズに取り外すことができる。また、内障子７を持ち上げた状態で上部樹脂アングル１６の階段状部分に対向する位置に樹脂上框１０ｂのテーパ部１０ｂｂを形成したため、内障子７は一層スムーズに内外しの回転を行うことができる。
また、外障子８の内外しや外外しに際しても、中間樹脂枠１７の先端部が先端片１７ａとテーパ部１７ｂとでテーパ状に形成され且つヒレ部４０Ａと共に断面略コの字状の断熱層４２Ａを形成していても、外障子８を上枠２内に持ち上げて屋内側や屋外側に回動することで中間樹脂枠１７と干渉することなくスムーズに内外外しを行える。しかも、内障子７や外障子８を持ち上げた際に、ヒレ部４０，４０Ａは緩衝材となり損傷を防止できる。
【００３２】
なお、本発明による引き違い窓１は、上述した実施形態に限定されるものではなく、本発明の要旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００３３】
上述した第一実施形態では内障子７の上框１０に対向する上部樹脂アングル１６の先端部を略階段状に形成し、外障子８の上框１０に対向する中間樹脂枠１７の先端部を略テーパ状に形成したが、この構成に代えて内障子７側の上部樹脂アングル１６の先端部を略テーパ状に、外障子８側の中間樹脂枠１７の先端部を略階段状に形成してそれぞれヒレ部４０、４０Ａを設けてもよい。或いは、上部樹脂アングル１６と中間樹脂枠１７の両方に階段状または略テーパ状の先端部を形成してもよい。
【００３４】
次に本発明の第二実施形態による引き違い窓１Ａの構成について図７により説明する。
本第二実施形態による引き違い窓１Ａでは、第一実施形態による引き違い窓１と概略同一の構成を備えている。相違点として、上部樹脂アングル１６の先端部は略階段状に形成されているが、ヒレ部４０を設けてない。また、中間樹脂枠１７の先端部は略テーパ状に形成されているが、ヒレ部４０Ａは設けていない。
本実施形態では断熱層４２、４２Ａにヒレ部４０，４０Ａを設けない点で断熱性の点で第一実施形態より劣るが、内障子７や外障子８の内外しや外外し等を上部樹脂アングル１６や中間樹脂枠１７と干渉することなく行える。
【００３５】
なお、本実施形態において、上部樹脂アングル１６や中間樹脂枠１７における断熱層４２、４２Ａの形状は、断熱層４２、４２Ａと干渉することなく内障子７や外障子８を内外しや外外しできるものであれば適宜形状を採用できる。例えば、上部樹脂アングル１６の先端片１６ｃから段付き部１６ａ、中間樹脂枠１７の先端片１７ａからテーパ部１７ｂの終端部にかけて凹曲面または凸曲面形状に形成してもよい。
また、上部樹脂アングル１６の先端部の略階段状の構成は一段に限らず複数段の階段状でもよい。中間樹脂枠１７の先端部についても同様の構成を採用できる。
また、断熱層４２，４２Ａにおける軟質樹脂のヒレ部４０、４０Ａは樹脂片部を形成する。
また、上部樹脂アングル１６や中間樹脂枠１７は樹脂部材に限定されることなく金属部材でもよく、その場合、例えば屋内側垂下片部１５ｄや中間レール部１５ｃと一体形成してもよい。これらの樹脂部材や金属部材は逃げ部材を構成する。
しかも、内外しのために内障子７を上枠２の方向に持ち上げた際に、上枠２の逃げ部材の屋内側に後退する部分に対向する上框１０の部分をテーパ部１０ｂｂに限定することなく階段形状や凹曲面等でもよく、上枠２の逃げ部材に対して下方に向けて逃げるよう変位させて形成してもよい。
【００３６】
また、上述した各実施形態において、断熱構造として屋内側垂下片部１５ｄの屋内側と屋外側とに上部樹脂アングル１６と内側樹脂枠１８を設けて屋内側垂下片部１５ｄの表面温度の低下と結露の抑制を行うようにしたが、内側樹脂枠１８は必ずしも設置しなくてもよい。
また、上述した各実施形態では気密材を形成するシール部材３６、３６Ａを屋内側垂下片部１５ｄや中間レール部１５ｃの受け部３５に設けて内外障子７，８の上框１０に当接させるようにしたが、これとは逆に上框１０にシール部材３６、３６Ａを取り付けて屋内側垂下片部１５ｄや中間レール部１５ｃに当接させてシールするようにしてもよい。
なお、本発明において、上部樹脂アングル１６と中間樹脂枠１７は樹脂部材を構成する。また、本発明は引き違い窓１に限定されることなく、片引き障子等の各種の複合建具や金属製や樹脂製等の建具に適用できる。
【符号の説明】
【００３７】
１  引き違い窓
２  上枠
７  内障子
８  外障子
１０  上框
１１  下框
１０ａ  金属上框
１０ｂ  樹脂上框
１５  金属上枠
１５ｂ  屋外側垂下片部
１５ｃ  中間レール部
１５ｄ  屋内側垂下片部
１６  上部樹脂アングル
１６ａ  段付き部
１６ｃ、１７ａ  先端片
１７  中間樹脂枠
１７ｂ  テーパ部
３６，３６Ａ、４４，４４Ａ  シール部材
４０，４０Ａ  ヒレ部
４２、４２Ａ  断熱層
【図１】
2020073786.tif 000003
【図２】
2020073786.tif 000004
【図３】
2020073786.tif 000005
【図４】
2020073786.tif 000006
【図５】
2020073786.tif 000007
【図６】
2020073786.tif 000008
【図７】
2020073786.tif 000009
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
枠体内に障子を納めていて、前記障子の上框の少なくとも一部が上枠に重なるように配置した建具であって、
前記上枠の金属上枠の屋内側に形成した垂下片部と、
前記垂下片部の下端部から下方に向けて屋内側に後退するように形成された逃げ部材と、を備え、
前記逃げ部材は、前記垂下片部の下端を覆うとともに屋内側に延びる先端片と、該先端片の屋内側端部から下方に延びる段付き部と、を有し、
前記先端片と前記段付き部とで前記上框から離間する方向に延びる階段形状に形成されていることを特徴とする建具。
【請求項２】
前記障子を前記上枠の方向に持ち上げた際に、前記逃げ部材の屋内側に後退する部分に対向する前記上框の部分を前記逃げ部材に対して逃げるようにテーパ部を形成した請求項１に記載の建具。
【請求項３】
前記逃げ部材は、前記先端片に略対向する位置に軟質樹脂の樹脂片部を設け、該樹脂片部を上框の方向に突出させている請求項１または請求項２に記載の建具。
【手続補正２】
【補正対象書類名】明細書
【補正対象項目名】０００７
【補正方法】変更
【補正の内容】
【０００７】
本発明による建具は、枠体内に障子を納めていて、前記障子の上框の少なくとも一部が上枠に重なるように配置した建具であって、前記上枠の金属上枠の屋内側に形成した垂下片部と、前記垂下片部の下端部から下方に向けて屋内側に後退するように形成された逃げ部材と、を備え、前記逃げ部材は、前記垂下片部の下端を覆うとともに屋内側に延びる先端片と、該先端片の屋内側端部から下方に延びる段付き部と、を有し、前記先端片と前記段付き部とで前記上框から離間する方向に延びる階段形状に形成されていることを特徴とする。
【手続補正３】
【補正対象書類名】明細書
【補正対象項目名】０００８
【補正方法】変更
【補正の内容】
【０００８】
また、前記障子を前記上枠の方向に持ち上げた際に、前記逃げ部材の屋内側に後退する部分に対向する前記上框の部分を前記逃げ部材に対して逃げるようにテーパ部を形成してもよい。
【手続補正４】
【補正対象書類名】明細書
【補正対象項目名】０００９
【補正方法】変更
【補正の内容】
【０００９】
また、前記逃げ部材は、前記先端片に略対向する位置に軟質樹脂の樹脂片部を設け、該樹脂片部を上框の方向に突出させていてもよい。